【手続補正書】
【提出日】平成17年7月28日(2005.7.28)
【手続補正１】
【補正対象書類名】明細書
【補正対象項目名】発明の名称
【補正方法】変更
【補正の内容】
【発明の名称】通信装置、情報機器および送信方法
【手続補正２】
【補正対象書類名】明細書
【補正対象項目名】特許請求の範囲
【補正方法】変更
【補正の内容】
【特許請求の範囲】
【請求項１】
装置ごとに異なる秘密鍵を保持する秘密鍵保持部と、
装置の識別情報あるいは機器の使用者の識別情報を保持する識別情報保持部と、
測位用衛星から受信した電波に基づき測定された、前記電波の受信位置および時刻を示す位置・時刻情報を、前記秘密鍵保持部に保持された前記秘密鍵を用いてデジタル署名するデジタル署名手段と、
前記識別情報保持部に保持された前記識別情報と、前記デジタル署名が付加された前記位置・時刻情報とを、通信相手先に送信するための通信手段と、
を備えることを特徴とする通信装置。
【請求項２】
請求項１に記載の通信装置において、
前記位置・時刻情報を通知したい相手の公開鍵を保持する公開鍵保持部と、
前記位置・時刻情報を、前記デジタル署名の前に、前記公開鍵保持部に保持された前記通信相手先の公開鍵を用いて暗号化する暗号化手段と、
を備えることを特徴とする通信装置。
【請求項３】
請求項１に記載の通信装置において、
前記通信相手先の公開鍵を保持する公開鍵保持部と、
前記デジタル署名手段により生成された前記デジタル署名が付加された前記位置・時刻情報を、前記公開鍵保持部に保持された前記通信相手先の公開鍵を用いて暗号化する暗号化手段と、
を備えることを特徴とする通信装置。
【請求項４】
機器ごとに異なる秘密鍵を保持する秘密鍵保持部と、
機器の識別情報あるいは機器の使用者の識別情報を保持する識別情報保持部と、
測位用衛星から受信した電波に基づき測定された、前記電波の受信位置および時刻を示す位置・時刻情報を、前記秘密鍵保持部に保持された前記秘密鍵を用いてデジタル署名するデジタル署名手段と、
前記デジタル署名が付加された前記位置・時刻情報を、外部から読み出し可能な状態で記憶する記憶手段と、
を備えることを特徴とする情報機器。
【請求項５】
請求項４に記載の情報機器において、
前記位置・時刻情報を通知したい相手の公開鍵を保持する公開鍵保持部と、
前記位置・時刻情報を、前記デジタル署名の前に、前記公開鍵保持部に保持された前記通信相手先の公開鍵を用いて暗号化する暗号化手段と、
を備えることを特徴とする情報機器。
【請求項６】
請求項４に記載の情報機器において、
前記位置・時刻情報を通知したい相手の公開鍵を保持する公開鍵保持部と、
前記デジタル署名手段により生成された前記デジタル署名が付加された前記位置・時刻情報を、前記公開鍵保持部に保持された前記通信相手先の公開鍵を用いて暗号化する暗号化手段と、
を備えることを特徴とする情報機器。
【請求項７】
ＩＣカードの装着部と、
測位用衛星から受信した電波に基づき測定された、前記電波の受信位置および時刻を示す位置・時刻情報を、前記ＩＣカードに供給するようにする手段と、
前記ＩＣカードに保持されたＩＣカードのユーザを識別するための識別情報と、前記ＩＣカードからの、デジタル署名が付加された前記位置・時刻情報とを、前記通信相手先に送信するための通信手段と、
を備えることを特徴とする通信装置。
【請求項８】
請求項７に記載の通信装置において、
前記ＩＣカードからは、前記通信相手先の公開鍵を用いて、前記位置・時刻情報を暗号化した情報に、前記デジタル署名が付加されたデータが出力され、
前記通信手段は、前記デジタル署名が付加された前記暗号化された前記位置・時刻情報を前記通信相手先に送信する
ことを特徴とする通信装置。
【請求項９】
請求項７に記載の通信装置において、
前記ＩＣカードからは、前記デジタル署名が付加された前記位置・時刻情報を、前記通信相手先の公開鍵を用いて暗号化した情報が出力され、
前記通信手段は、前記ＩＣカードからの前記暗号化された情報を前記通信相手先に送信する
ことを特徴とする通信装置。
【請求項１０】
ＩＣカードの装着部と、
測位用衛星からの電波に基づき測定された、前記電波の受信機器の位置および時刻を示す位置・時刻情報を、前記ＩＣカードに供給するようにする手段と、
前記ＩＣカードに保持されたＩＣカードのユーザを識別するための識別情報と、前記ＩＣカードからの、デジタル署名が付加された前記位置・時刻情報を、外部から読み出し可能な状態で記憶する記憶部と、
を備えることを特徴とする情報機器。
【請求項１１】
請求項１０に記載の情報機器において、
前記ＩＣカードからは、前記通信相手先の公開鍵を用いて、前記位置・時刻情報を暗号化した情報に、前記デジタル署名が付加されたデータが出力され、
前記ＩＣカードからの、前記デジタル署名が付加された前記暗号化された前記位置・時刻情報を前記記憶部に記憶する
ことを特徴とする情報機器。
【請求項１２】
請求項１０に記載の情報機器において、
前記ＩＣカードからは、前記デジタル署名が付加された前記位置・時刻情報を、前記通信相手先の公開鍵を用いて暗号化した情報が出力され、
前記ＩＣカードからの前記暗号化された情報を、前記記憶部に記憶する
ことを特徴とする情報機器。
【請求項１３】
測位用衛星からの電波に基づき測定された、前記電波の受信機器の位置および時刻を示す位置・時刻情報が入力されるＩＣカードであって、
当該秘密鍵を保持する秘密鍵保持部と、
当該ＩＣカードのユーザの識別情報を保持する識別情報保持部と、
前記位置・時刻情報を、前記秘密鍵保持部に保持された前記秘密鍵を用いてデジタル署名して、出力するデジタル署名手段と、
を備えることを特徴とするＩＣカード。
【請求項１４】
請求項１０に記載のＩＣカードにおいて、
前記位置・時刻情報を通知したい相手の公開鍵を保持する公開鍵保持部と、
前記位置・時刻情報を、前記デジタル署名の前に、前記公開鍵保持部に保持された前記通信相手先の公開鍵を用いて暗号化する暗号化手段と、
を備えることを特徴とするＩＣカード。
【請求項１５】
請求項１０に記載のＩＣカードにおいて、
前記位置・時刻情報を通知したい相手の公開鍵を保持する公開鍵保持部と、
前記デジタル署名手段により生成された前記デジタル署名が付加された前記位置・時刻情報を、前記公開鍵保持部に保持された前記通信相手先の公開鍵を用いて暗号化する暗号化手段と、
を備えることを特徴とするＩＣカード。
【請求項１６】
測位用衛星からの電波を受信して、受信位置および時刻を測定する測位工程と、
前記測位工程で得られた前記受信位置および時刻を示す位置・時刻情報について、予め保持されている秘密鍵を用いてデジタル署名するデジタル署名工程と、
前記デジタル署名が付加された前記位置・時刻情報を、通信相手先に送信する位置・時刻情報通信工程と、
機器の識別情報あるいは機器の使用者の識別情報を、前記位置・時刻情報の送信に先立ち、または、前記位置・時刻情報の送信の後に、または、前記位置・時刻情報の送信と同時に、前記通信相手先に送信する工程と、
を備えることを特徴とする送信方法。
【請求項１７】
請求項１６に記載の送信方法において、
前記デジタル署名工程の前に、通信相手先の公開鍵を用いて、前記位置・時刻情報を暗号化する暗号化工程を備え、
前記通信工程で前記通信相手先に送られる前記位置・時刻情報は、暗号化されている
ことを特徴とする送信方法。
【請求項１８】
請求項１６に記載の送信方法において、
前記デジタル署名工程と、前記通信工程との間に、前記デジタル署名が付加された前記位置・時刻情報を、前記公開鍵保持部に保持された前記通信相手先の公開鍵を用いて暗号化する暗号化工程を備える
ことを特徴とする送信方法。
【手続補正３】
【補正対象書類名】明細書
【補正対象項目名】０００１
【補正方法】変更
【補正の内容】
【０００１】
【発明の属する技術分野】
この発明は、位置・時刻の測位機能を備える、例えば携帯電話機やＰＤＡ（Ｐｅｒｓｏｎａｌ  Ｄｉｇｉｔａｌ  Ａｓｓｉｓｔａｎｔｓ；携帯情報機器）などの通信装置や情報機器に関する。
【手続補正４】
【補正対象書類名】明細書
【補正対象項目名】００１０
【補正方法】変更
【補正の内容】
【００１０】
この発明は、以上の問題点を解消することができる通信装置および情報機器を提供することを目的とする。
【手続補正５】
【補正対象書類名】明細書
【補正対象項目名】００１１
【補正方法】変更
【補正の内容】
【００１１】
【課題を解決するための手段】
前記課題を解決するため、請求項１の発明による通信装置は、
装置ごとに異なる秘密鍵を保持する秘密鍵保持部と、
装置の識別情報あるいは機器の使用者の識別情報を保持する識別情報保持部と、
測位用衛星から受信した電波に基づき測定された、前記電波の受信位置および時刻を示す位置・時刻情報を、前記秘密鍵保持部に保持された前記秘密鍵を用いてデジタル署名するデジタル署名手段と、
前記識別情報保持部に保持された前記識別情報と、前記デジタル署名が付加された前記位置・時刻情報とを、通信相手先に送信するための通信手段と、
を備えることを特徴とする。
【手続補正６】
【補正対象書類名】明細書
【補正対象項目名】００１２
【補正方法】変更
【補正の内容】
【００１２】
上記の構成の請求項１の発明によれば、通信装置に秘密裏に保持されている秘密鍵が用いられてデジタル署名がなされ、当該デジタル署名が付加された位置・時刻情報が通信相手先に送られる。
【手続補正７】
【補正対象書類名】明細書
【補正対象項目名】００１３
【補正方法】変更
【補正の内容】
【００１３】
通信相手先では、通信装置から通信手段により送られてくる識別情報に基づき、デジタル署名を検証するための、当該識別情報に対応する公開鍵を取得する。そして、取得した公開鍵を用いて、通信装置から通信手段により送られてくる位置・時刻情報に付加されているデジタル署名を検証する。この検証の結果、通信相手先では、検証できたときには、正当な位置・時刻情報と認識し、検証できなかったときには、改ざん等が行なわれた不正な位置・時刻情報と認識することができる。
【手続補正８】
【補正対象書類名】明細書
【補正対象項目名】００１４
【補正方法】変更
【補正の内容】
【００１４】
また、請求項２の発明は、請求項１に記載の通信装置において、
前記位置・時刻情報を通知したい相手の公開鍵を保持する公開鍵保持部と、
前記位置・時刻情報を、前記デジタル署名の前に、前記公開鍵保持部に保持された前記通信相手先の公開鍵を用いて暗号化する暗号化手段と、
を備えることを特徴とする。
【手続補正９】
【補正対象書類名】明細書
【補正対象項目名】００１５
【補正方法】変更
【補正の内容】
【００１５】
この請求項２の発明によれば、位置・時刻情報は、位置・時刻情報を通知したい相手の公開鍵が用いられて、デジタル署名前に暗号化されている。そこで、通信相手先では、通信装置から通信手段により送られてくる暗号化されている位置・時刻情報に付加されているデジタル署名を検証して、暗号化されている位置・時刻情報が正当な情報か不正な情報であるかを判定することができる。
【手続補正１０】
【補正対象書類名】明細書
【補正対象項目名】００１８
【補正方法】変更
【補正の内容】
【００１８】
また、請求項３の発明は、請求項１に記載の通信装置において、
前記通信相手先の公開鍵を保持する公開鍵保持部と、
前記デジタル署名手段により生成された前記デジタル署名が付加された前記位置・時刻情報を、前記公開鍵保持部に保持された前記通信相手先の公開鍵を用いて暗号化する暗号化手段と、
を備えることを特徴とする。
【手続補正１１】
【補正対象書類名】明細書
【補正対象項目名】００２０
【補正方法】変更
【補正の内容】
【００２０】
次に、通信相手先では、通信装置から通信手段により送られてくる識別情報に基づき、デジタル署名を検証するための、当該識別情報に対応する公開鍵を取得する。そして、取得した公開鍵を用いて、通信装置から通信手段により送られてくる位置・時刻情報に付加されているデジタル署名を検証する。この検証の結果、通信相手先では、検証できたときには、正当な位置・時刻情報と認識し、検証できなかったときには、改ざん等が行なわれた不正な位置・時刻情報と認識することができる。
【手続補正１２】
【補正対象書類名】明細書
【補正対象項目名】００２１
【補正方法】変更
【補正の内容】
【００２１】
この請求項３の発明の場合には、通信装置から通信相手先への通信の際に、通信データが傍受されてしまったとしても、暗号化されているため、情報の秘匿ができるという特徴がある。
【手続補正１３】
【補正対象書類名】明細書
【補正対象項目名】００２４
【補正方法】変更
【補正の内容】
【００２４】
【発明の実施の形態】
以下、この発明による通信装置の実施形態を、通信装置が測位機能付きの携帯電話端末の場合について、図を参照しながら説明する。そして、以下においては、通信装置の実施形態である携帯電話端末を、位置・時刻情報の送受信システムに用いた場合について主として説明する。この例では、測位システムとしては、ＧＰＳシステムが用いられる。
【手続補正１４】
【補正対象書類名】明細書
【補正対象項目名】００２５
【補正方法】変更
【補正の内容】
【００２５】
図１は、実施形態の通信装置である携帯電話端末１０を含む位置・時刻情報の送受信システムの概要を説明するための図である。この図１の例のシステムは、測位用衛星、この例ではＧＰＳ衛星１の複数個からの電波を受信して、当該電波受信時の自機の位置および時刻を測定する機能を備える携帯電話端末１０と、この携帯電話端末１０と無線基地局２および通信ネットワーク３を通じて接続される情報収集サーバ装置２０とからなる。
【手続補正１５】
【補正対象書類名】明細書
【補正対象項目名】００３２
【補正方法】変更
【補正の内容】
【００３２】
[通信装置の第１の実施形態の構成]
図２は、通信装置の例としての携帯電話端末１０の第１の実施形態の構成例を示すものである。
【手続補正１６】
【補正対象書類名】明細書
【補正対象項目名】００７３
【補正方法】変更
【補正の内容】
【００７３】
以上のようにして、第１の実施形態によれば、通信装置から送信される位置・時刻情報には、通信装置に秘密裏に保持されている秘密鍵が用いられてデジタル署名が付加されるので、当該位置・時刻情報は、少なくとも当該携帯電話端末１０から送信されたものであることが証明可能となる。
【手続補正１７】
【補正対象書類名】明細書
【補正対象項目名】００７４
【補正方法】変更
【補正の内容】
【００７４】
このため、例えば当該通信装置以外の機器から、当該通信装置の位置や時刻を偽装した位置・時刻情報をサーバ装置に送信しても、当該偽装は即座に検知され、サーバ装置２０の位置・時刻情報メモリ２０６には、正当な位置・時刻情報のみが蓄積されるものである。
【手続補正１８】
【補正対象書類名】明細書
【補正対象項目名】００８０
【補正方法】変更
【補正の内容】
【００８０】
[通信装置の第２の実施形態の構成]
図６は、通信装置の例としての携帯電話端末１０の第２の実施形態の構成例を示すものである。この第２の実施形態は、前述の図２に示した第１の実施形態とは、送信データ生成部１２０の構成が異なるのみで、他は全く第１の実施形態と同様に構成される。
【手続補正１９】
【補正対象書類名】明細書
【補正対象項目名】０１２３
【補正方法】変更
【補正の内容】
【０１２３】
[通信装置の第３の実施形態および第３の実施形態の場合のサーバ装置]
通信装置の第３の実施形態は、デジタル署名する前に、位置・時刻情報を、特定の相手の公開鍵を用いて暗号化することにより、デジタル署名は、受信者が行なうようにするが、位置・時刻情報は、受信者には秘匿して他の相手にのみ通知することができるようにする場合である。
【手続補正２０】
【補正対象書類名】明細書
【補正対象項目名】０１４５
【補正方法】変更
【補正の内容】
【０１４５】
[通信装置の第４の実施形態の構成例]
以上の例では、機器ＩＤをユーザＩＤとして用いたが、いわゆるＳＩＭカードやＰＫＩカードなどの個人用のＩＣ（Ｉｎｔｅｇｒａｔｅｄ  Ｃｉｒｃｕｉｔ；集積回路）カードを用いることにより、各個人のＩＤをユーザＩＤとして用いることができる。つまり、同じ携帯電話端末を用いる場合であっても使用者を区別して、使用者毎の位置・時刻情報の通信が可能となる。
【手続補正２１】
【補正対象書類名】明細書
【補正対象項目名】０１８２
【補正方法】変更
【補正の内容】
【０１８２】
なお、上述の第４の実施形態の説明においては、通信装置として、携帯電話端末にＩＣカードを装填して使用する場合を説明したが、位置・時刻情報を送信するだけでなく、ＩＣカード内のメモリに記憶する用途をも考慮すると、ＧＰＳ受信機能付きのＰＤＡ、ＧＰＳ受信機能付きのモバイルパーソナルコンピュータ、ＧＰＳ受信機能付きのデジタルカメラ、ＧＰＳ機能付きのカーナビゲーションシステム、ＧＰＳ受信機能付きの時計などにも適用可能である。
【手続補正２２】
【補正対象書類名】明細書
【補正対象項目名】０１８３
【補正方法】変更
【補正の内容】
【０１８３】
この場合において、ＧＰＳ受信機能は、アダプタとして、それぞれの通信装置に接続される態様であっても良いことは前述した通りである。
【手続補正２３】
【補正対象書類名】明細書
【補正対象項目名】０１８６
【補正方法】変更
【補正の内容】
【０１８６】
また、上述の実施形態では、通信装置として携帯電話端末の場合を例に説明したが、通信装置としては、携帯電話端末に限られるものではなく、前述したような、ＰＤＡ、モバイルパーソナルコンピュータ、デジタルカメラ等にも適用できるものである。
【手続補正２４】
【補正対象書類名】明細書
【補正対象項目名】０１８８
【補正方法】変更
【補正の内容】
【０１８８】
【発明の効果】
以上説明したように、この発明によれば、通信装置においてデジタル署名を位置・時刻情報に付加するようにするので、このデジタル署名を検証することにより、他の通信装置などからの偽装の位置・時刻情報を容易に検知することができ、位置・時刻情報の改ざんを防止することができる。
【手続補正２５】
【補正対象書類名】明細書
【補正対象項目名】図面の簡単な説明
【補正方法】変更
【補正の内容】
【図面の簡単な説明】
【図１】
この発明による通信装置の実施形態が適用されたシステムの概要を説明するための図である。
【図２】
第１の実施形態の通信装置としての携帯電話端末の構成例を示す図である。
【図３】
第１の実施形態の携帯電話端末に対する情報収集サーバ装置の構成例を示す図である。
【図４】
第１の実施形態の通信装置からの位置・時刻情報の送信動作を説明するためのフローチャートを示す図である。
【図５】
第１の実施形態の通信装置からの位置・時刻情報を受信するサーバ装置の位置・時刻情報の受信動作を説明するためのフローチャートを示す図である。
【図６】
第２の実施形態の通信装置としての携帯電話端末の構成例を示す図である。
【図７】
第２の実施形態の携帯電話端末に対する情報収集サーバ装置の構成例を示す図である。
【図８】
第２の実施形態の通信装置からの位置・時刻情報の送信動作を説明するためのフローチャートを示す図である。
【図９】
第２の実施形態の通信装置からの位置・時刻情報を受信するサーバ装置の位置・時刻情報の受信動作を説明するためのフローチャートを示す図である。
【図１０】
第２の実施形態の通信装置からの位置・時刻情報の送信動作を説明するためのフローチャートを示す図である。
【図１１】
第２の実施形態の通信装置からの位置・時刻情報を受信する相手の通信装置の位置・時刻情報の受信動作を説明するためのフローチャートを示す図である。
【図１２】
第３の実施形態の通信装置からの位置・時刻情報の送信動作を説明するためのフローチャートを示す図である。
【図１３】
第３の実施形態の通信装置からの位置・時刻情報を受信するサーバ装置の位置・時刻情報の受信動作を説明するためのフローチャートを示す図である。
【図１４】
第４の実施形態の通信装置としての携帯電話端末の構成例を示す図である。
【図１５】
第４の実施形態の携帯電話端末に装填するＩＣカードの構成例を示す図である。
【図１６】
ＩＣカードの発行手順を説明するための図である。
【図１７】
第４の実施形態の通信装置からの位置・時刻情報の送信動作を説明するためのフローチャートを示す図である。
【図１８】
第４の実施形態の携帯電話端末に装填するＩＣカードの信号処理動作を説明するためのフローチャートである。
【図１９】
第４の実施形態の携帯電話端末に装填するＩＣカードの信号処理動作を説明するためのフローチャートである。
【図２０】
第４の実施形態の携帯電話端末に装填するＩＣカードの信号処理動作を説明するためのフローチャートである。
【符号の説明】
１０…携帯電話端末、２０…情報収集サーバ装置、４０…ＧＰＳ信号受信部、１１７…位置・時刻計算部、１１８…位置・時刻情報メモリ、１２０…送信データ生成部、１２１…デジタル署名生成部、１２２…秘密鍵保持部、１２３…暗号／復号部、１２４…公開鍵保持部